(57)【要約】  【課題】  構造が簡単であって、かびの発生が少なく、手入れが容易な浴室ドア及び浴室を提供する。  【解決手段】  換気設備を設けた浴室に用いるドアであって、該ドア１の通気口２のガラリ部に着脱可能にフィルタ４とフィルタ１２とを二重に設け、浴室内側のフィルタ４の方が目の粗さが浴室外側のフィルタ１２の目の粗さより細かくし、ガラリへ水がもれるのを減らし、かびの発生するのをおさえる。浴室又は浴室ドアの通気口部に着脱可能なフィルタを二重に設けてもかまわない。【選択図】    図２
2005042388.tif 000002
【特許請求の範囲】
【請求項１】
換気設備を設けた浴室に用いるドアであって、該ドアの通気口部に着脱可能にフィルタを設けたことを特徴とする浴室ドア。
【請求項２】
前記通気口部に着脱可能にフィルタを二重に設けたことを特徴とする請求項１に記載の浴室ドア。
【請求項３】
前記通気口部に着脱可能にフィルタを二重に設け、浴室内側のフィルタの方が浴室外側のフィルタより目の粗さが細かいことを特徴とする請求項１又は２に記載の浴室ドア。
【請求項４】
前記フィルタに抗菌剤または防かび剤を含ませたことを特徴とする請求項1乃至３に記載の浴室ドア。
【請求項５】
前記フィルタと併用するガラリ部分が取り外し可能になっていることを特徴とする請求項1乃至４に記載浴室ドア。
【請求項６】
前記フィルタにその清掃を４２℃以上の温水で実施するための表示がされていることを特徴とする請求項1乃至５に記載の浴室ドア。
【請求項７】
前記請求項１乃至６のいずれかに記載の浴室ドアを設けたことを特徴とする換気設備を有する浴室。
【発明の詳細な説明】
【技術分野】
【０００１】
本発明は、浴室ドア及び浴室に関し、より詳細には、かびの発生が少なく、手入れが容易な浴室ドア及び浴室に関する。
【背景技術】
【０００２】
従来、浴室のかびの発生を防止するため、通常は湿気を除去するための換気設備が設置されて、浴室内への空気取り込み口としてガラリが設けられた通気口が浴室ドアのドア枠下部に設けられている（例えば、特開２００２−３７２２６７号公報参照）。このドアは図５の（ａ）および（ｂ）に示すように、ドア５１の枠下方に通気口５２が設けられ、通気口５２にガラリ５３が取り付けられている。ガラリ５３は羽根５４がガラリ枠５５に設けられて構成されている。このガラリは、シャワー使用時に外部に水が漏れないようにするため羽根５４の間隔をせまくしたり、複雑な形状にしている。そのため、ガラリ部を掃除するには、歯ブラシ等を使用しなくてはならず、非常に大変であった。また、完全にきれいにすることはできなかった。
【０００３】
一般に、浴室はかびが発生するのを防止するため、構成部材に種々の防かび剤、抗菌剤を添加している。しかし、それらの持続性は1〜２年程度の寿命であり、数年経過した浴室には必ずといっていいほどかびが発生している。そこで、このかびを除去するため、かびキラー（登録商標）等のかび取り剤で洗浄している。しかし、かび取りのための薬剤は有毒で非常に危険であり、人体に悪影響を与えるおそれがあった。
【０００４】
また、ドアにフィルタを設ける技術としては、全館換気が行われる住宅に設けられる中空のドアにおいて、通気口を設け、中空のドア部にフィルタを収納し、室内側から室外側に通過する空気はフィルタにより浄化されるようにしたものがある（例えば、特開２００２−３２２８８３号公報参照）。
【０００５】
この技術は、中空のドア部にフィルタを収納するため、フィルタの着脱が困難で、手入れに手間がかかった。
【特許文献１】特開２００２−３７２２６７号公報
【特許文献２】特開２００２−３２２８８３号公報
【発明の開示】
【発明が解決しようとする課題】
【０００６】
本願発明は、上記のような事情に鑑みてなされたものであり、構造が簡単で、かびの発生が少なく、手入れが容易な浴室ドア及び浴室を提供することを目的としている。
【課題を解決するための手段】
【０００７】
本願発明に係る浴室ドアは、換気設備を設けた浴室に用いるドアであって、該ドアの通気口部に着脱可能にフィルタを設けたことを特徴とする。
【０００８】
本願の請求項２に係る浴室ドアは、請求項１の発明において、前記通気口部に着脱可能にフィルタを二重に設けたことを特徴とする。
【０００９】
本願の請求項３に係る浴室ドアは、請求項２の発明において、前記通気口部に着脱可能にフィルタを二重に設け、浴室内側のフィルタの方が浴室外側のフィルタより目の粗さが細かいことを特徴とする。
【００１０】
本願の請求項４に係る浴室ドアは、請求項１乃至３の発明において、前記フィルタに抗菌剤または防かび剤を含ませたことを特徴とする。
【００１１】
本願の請求項５に係る浴室ドアは、請求項１乃至４の発明において、前記フィルタと併用するガラリ部分が取り外し可能になっていることを特徴とする。
【００１２】
本願の請求項６に係る浴室ドアは、請求項１乃至６の発明において、前記フィルタにその清掃を４２℃以上の温水で実施するための表示がされていることを特徴とする。
【００１３】
また、本願発明に係る浴室は、換気設備を設けた浴室であって、浴室に前記請求項１乃至６のいずれかに記載の浴室ドアを設けたことを特徴とする。
【発明の効果】
【００１４】
本願発明に係る浴室ドアは、通気口部に着脱可能にフィルタを設けたので、水のもれるのをフィルタで防ぐのでガラリの構造を簡単にでき、ガラリが汚れにくくなり、フィルタ及びガラリの手入れが容易で、かびが浴室に入り込まず、浴室かびの発生が少なくなる。
【００１５】
本願発明の請求項２に係る浴室ドアは、浴室又は浴室ドアの通気口部に着脱可能なフィルタを二重に設けるので、外部からのかびの侵入を一層確実に防ぎ、浴室内のかびの発生をさらに防止することができる。
【００１６】
本願発明の請求項３に係る浴室ドアは、浴室ドアの通気口部に着脱可能なフィルタを二重に設け、浴室内側のフィルタの方が目の粗さを細かくしたので、ガラリへの水の入り込みを防ぎ、ガラリのかびの発生を防止することができる効果に加えて、浴室外側のフィルタの掃除が特に容易にできる。
【００１７】
本願発明の請求項４に係る浴室ドアは、フィルタにかびが生えないようにしたので、浴室内のかびの発生をさらに防止することができる。
【００１８】
本願発明の請求項５に係る浴室ドアは、ガラリも取り外せるので、通気口部及びフィルタの掃除が容易にでき、かびの発生をより確実に抑えることができる。
【００１９】
本願発明の請求項６に係る浴室ドアは、フィルタの掃除が間違いなくできるようになる。
【００２０】
本願発明の請求項７に係る浴室は、通気口部に着脱可能にフィルタを設けて、水のもれるのをガラリでなくフィルタで防ぐので、ガラリの構造を簡単にでき、ガラリが汚れにくくなり、フィルタ及びガラリの手入れが容易で、かびが浴室に入り込まず、浴室かびの発生が少なくなる。
【発明を実施するための最良の形態】
【００２１】
本願発明の浴室ドア及び浴室は、その通気口部に着脱可能にフィルタを設けて、通気口部から水蒸気等のもれるのをフィルタで除去するようにして、ガラリの構造を簡単にした。
【００２２】
以下、本願発明の実施の形態について図面に基づいて詳細に説明する。図１乃至図４は本発明の浴室ドアを示す図である。
【００２３】
図１は本願発明の浴室ドアの第１の実施例の要部を示す図で、同図（ａ）は正面図、同図（ｂ）はその断面図である。
【００２４】
この図１に示す浴室ドア１は、換気扇等の換気設備のある浴室に設けるドアであり、その通気口となす開口部２にガラリ３を装着し、開口部２を全て覆うようにフィルタ４が着脱可能に設けられている。
【００２５】
ガラリ３は、羽根５をガラリ枠６に設けている。羽根５の角度は固定でも調節できるようにしてもよい。羽根５の間隔は、狭くなるとスポンジ等をもつ手が入らなくなり、手入れがしにくくなるので、５ｃｍ以上が好ましい。羽根５の間隔の上限は、取り付けるフィルタ４の支持方法により影響をうけるので、特に限定されない。
【００２６】
フィルタ４は、耐水性のエアーフィルタで、埃、水滴を除去できるものであれば、材質、形状、構造等、特に限定されない。フィルタの目の粗さは、細かい方が浮遊かびが浴室内に入りこまず、浴室のかび防止の効果が大きい。
【００２７】
ドア本体又はガラリ枠６にフィルタ固定レール７を設置し、フィルタ固定レール７にフィルタ４を挿着、抜き取り等できるようにすることで浴室ドア１に着脱可能にしている。この図１の例では、フィルタ４を浴室内側のドア面に設けているが、浴室外側のドア面に設けてよい。また、フィルタ４にその清掃を４２℃以上の温水で実施するための表示が表示部８になされている。
【００２８】
本発明が適用できる浴室ドア又は浴室としては、システムバス、ユニットバス、在来工法浴室等、すべての換気設備を有する浴室に適応できる。
【００２９】
図２は本願発明の浴室ドアの第２の実施例の要部を示す図で、同図（ａ）は正面図、同図（ｂ）はその断面図である。
【００３０】
図２に示す浴室ドアは、上記図１の浴室ドアとは目の粗さの異なるフィルタを二重に設けている点で相違するが、その他は略共通するので、同一作用の部分は同一の符号を付して詳細な説明を省略する。
【００３１】
浴室ドア１１は、その通気口となす開口部２にガラリ３を装着し、開口部２を浴室側から塞ぐようにフィルタ４が着脱可能に設けられ、浴室外側に開口部２を塞ぐフィルタ１２が着脱可能に設けられている。浴室内側のフィルタ４の目の粗さは外側のフィルタ１２より細かくされている。フィルタの数を多くすることにより、ガラリ３からかびの侵入を防ぐ効果が大きい。また、浴室内側のフィルタ４の目の粗さを細かくすることで、外部への水蒸気等の飛散を減少させることができ、かびの繁殖を抑えることができる。また、少なくとも浴室内側に設けるフィルタ４に抗菌剤または防かび剤を含ませると、一層確実にかびの繁殖を抑制できる。
【００３２】
図３は本願発明の浴室ドアの第３の実施例の要部を示す図で、同図（ａ）は正面図、同図（ｂ）はその断面図である。
【００３３】
図３に示す浴室ドア１３は、上記図１の浴室ドアとは目の粗さの異なるフィルタを二重に設けている点で相違し、図２に示す浴室ドアとはフィルタ４とフィルタ１２の配置が浴室内外で逆にしているが、その他は略共通するので、同一作用の部分は同一の符号を付して詳細な説明を省略する。
【００３４】
このように、浴室外側のフィルタ４を浴室内側のフィルタ１２の目の粗さより細かいものとすることにより、外部からのかび等の侵入を高効率で防ぎ、かびの繁殖を抑えることができる。なお、少なくとも浴室側に設けるフィルタ１２に抗菌剤または防かび剤を含ませると、一層確実にかびの繁殖を抑制できる。
【００３５】
図４は本願発明の浴室ドアの第４の実施例の要部を示す図で、同図（ａ）は正面図、同図（ｂ）はその断面図である。
【００３６】
図４に示す浴室ドア１４は、上記図１の浴室ドアとはガラリ部分は浴室外から取り外せるようにした点で相違している。その他は略共通するので、同一作用の部分は同一の符号を付して詳細な説明を省略する。
【００３７】
浴室ドア１４は、ガラリ１５を通気口となす開口部２に着脱可能に構成している。この図４の例では、開口部２の内周面にゴム磁石製パッキン１６を粘着すると共に、ガラリ１５の枠１７の外周面を磁性体の材質のもの（例えば、ＳＵＳ３４０板を貼付等）で形成している。このように磁力により吸着させて装着するようにすると、脱着が容易になり、手入れがし易くできる。また、ガラリ１５の浴室面にパッキン１８を粘着して、フィルタ４を装着した際にガラリ１５とフィルタ４との間に隙間ができて、隙間から空気や水分がもれないようにしている。このようにドアを構成することにより、フィルタとガラリの清掃が容易になり、かびの繁殖を抑えることができる。
【００３８】
なお、上記説明では、表示部に清掃を実施するための温度の表示をする例で説明したが、その他、清掃頻度等のその他の取扱方法を表示をしてもよい。また、表示部を図示してない例においても、付けてよいことは勿論である。
【００３９】
以下、本発明を実施例によって具体的に説明する。
【実施例１】
【００４０】
浴室内天井に換気扇（松下エコシステムズ株式会社製FY17J6）を設けた浴室において、図1に示すように、浴室ドアの通気口となすガラリ部の浴室側に着脱可能なフィルタ（三菱エアーフィルタM7020US）を設けた。この浴室を夫婦と子ども2名が毎日入浴し、かびの発生状況を確認した。この間、使用したフィルタ4は毎日水洗いし、その他の部分は全く清掃はしなかった。
【実施例２】
【００４１】
浴室内天井に換気扇（松下エコシステムズ株式会社製FY17J6）を設けた浴室において、図２に示すように、浴室ドアの通気口となすガラリ部の浴室側に着脱可能なフィルタ（三菱エアーフィルタM7020US）を設けた。また、脱衣場側に着脱可能なフィルタ（三菱エアーフィルタM7020LS）を設けた。
【００４２】
この浴室を夫婦と子ども2名が毎日入浴し、かびの発生状況を確認した。この間、使用した浴室内外側の両フィルタは毎日水洗いし、その他の部分は全く清掃はしなかった。
【実施例３】
【００４３】
浴室内天井に換気扇（松下エコシステムズ株式会社製FY17J6）を設けた浴室において、図３に示すように、浴室ドアの通気口となすガラリ部の浴室側に着脱可能なフィルタ（三菱エアーフィルタM7020LS）を設けた。また、脱衣場側に着脱可能なフィルタ（三菱エアーフィルタM7020US）を設けた。この浴室を夫婦と子ども２名が毎日入浴し、かびの発生状況を確認した。この間、使用した浴室内外側の両フィルタは毎日水洗いし、その他の部分は全く清掃はしなかった。
【実施例４】
【００４４】
浴室内天井に換気扇(松下エコシステムズ株式会社製FY17J6)を設けた浴室において、図４に示すように、浴室ドアの通気口となすガラリ部の浴室側に着脱可能なフィルタ(三菱エアーフィルタM7020US)を設けた。また、ガラリ部分は浴室外から取り外せるようにした。取り外し方法、固定方法、取り外し方向(浴室側から取り外しても良い)は規定するものではない。この浴室を夫婦と子ども２名が毎日入浴し、かびの発生状況を確認した。この間、使用したフィルタは毎日水洗いし、その他の部分は全く清掃はしなかった。
【実施例５】
【００４５】
浴室内天井に換気扇(松下エコシステムズ株式会社製FY17J6)を設けた浴室において、図４に示すように、浴室ドアの通気口となすガラリ部の浴室側に着脱可能なフィルタ(三菱エアーフィルタM7020US)を設けた。また、ガラリ部分は浴室外から取り外せるようにした。この浴室を夫婦と子ども２名が毎日入浴した。また、７日に１回ドア部の清掃をおこない、清掃所要時間と３ヶ月後の汚れ状態を確認した。
【００４６】
清掃は、ガラリ部分を取り外してシャワーとスポンジでおこなった。
（比較例１）
【００４７】
図５に示すように、ドア枠下方に通気口となすガラリ部のある従来の浴室ドアを使用した。浴室天井には換気扇を設けた。この浴室を夫婦と子ども２名が毎日入浴し、かびの発生状況を確認した。この間全く清掃せはしなかった。
（比較例２）
【００４８】
図５に示すように、ドア枠下方に通気口となすガラリ部のある従来の浴室ドアを使用した。浴室天井には換気扇を設けた。この浴室を夫婦と子ども２名が毎日入浴した。また、7日に1回ドア部の清掃をおこない、清掃所要時間と3ヶ月後の汚れ状態を確認した。この時ガラリ部分は歯ブラシを用いて清掃した。ドア本体の清掃はシャワーとスポンジでおこなった。
【００４９】
(かび発生状況の評価等)
１．かびの発生状況の評価：
3ヶ月使用後のかび発生有無を、浴室天井、浴室床、浴室ドア、ガラリ(通気口)か  ら６０ｃｍ離れた位置から目視評価にて評価し、下記のような判定基準によりに判定し  、その結果を表１に示した。
【００５０】
２．判定基準：
○：かび汚れが見られない。
△：かび汚れが少し見られる。
×：かび汚れが激しい。
で表示した。
【００５１】
【表１】
2005042388.tif 000003
【００５２】
（実施例１と比較例１の比較について）
実施例1の結果によれば、浴室内のかび発生をなくすことができた。比較例1の結果によれば、浴室床、ガラリでかびが発生した。
【００５３】
この理由は、従来のガラリが浴室内で使用する水が外部に飛散しないように複雑で狭い空間しか取っていないため、浴室外から流れ込むほこりを含んだ空気が湿ったガラリ部分に付着し、付着した大量のゴミや浴室内から飛び散った湯垢等の汚れをえさにして繁殖したものと考えられる。
【００５４】
また、床においても比較例1では若干のかびが見られたが、これもドア枠下部に設けたガラリの形状が浴室内部で床面に向かって空気が流れる方向に設置されているため、かびを載せたほこりを含んだ空気が床面の湿り部分に付着し、湯垢等の栄養分で繁殖したためと考えられる。
【００５５】
実施例1では外部から吸い込む空気が、フィルタを通った空気であるため、ほこりに付着したかびが浴室内の水滴に接触しないためである。
【００５６】
毎日のフィルタ掃除は入浴後フィルタを抜き取り、浴室内でシャワーを掛けるだけの簡単な洗浄でもかび発生はなかった。
【００５７】
ただし、フィルタを1年以上使用した後では若干黒ずみが見られた。
（実施例2について）
実施例2の結果によれば、浴室内のかび発生をなくすことができた。
【００５８】
その理由は、フィルタを2重にすることにより、浴室側のフィルタの汚れは少なかった。また、フィルタの清掃が楽であった。
【００５９】
浴室側のフィルタが細かいだめガラリ部へ全く水が入りこまず、ガラリ部の汚れは全く気にならなかった。
（実施例３について）
実施例3の結果によれば、浴室内のかび発生をなくすことができた。
【００６０】
その理由は、フィルタを2重にすることにより、浴室側のフィルタの汚れは少なく、フィルタの清掃が楽であった。
（実施例４について）
また、フィルタの清掃が充分でなかった場合でも、抗菌剤または防かび剤を添加しておくことにより、かび発生を防ぐことができる。
【００６１】
また、フィルタの清掃を４２℃以上のお湯で洗う事により、フィルタに付着したかびを殺すことができるため、表示を忘れずに実施することによりフィルタの寿命を延ばすことができた。
（実施例５について）
実施例5の結果によれば、ガラリの掃除は極端に短い時間で完全に行うことが出来るようになった。
【００６２】
その理由はフィルタを取り外してシャワー洗浄ができ、フィルタがあるため開口部の羽根間隔を広げても水の飛散がないため掃除しやすくできることによるものと思われる。
【００６３】
以上の結果から、本願発明の浴室ドアによれば、浴室内のかび発生をなくすことができる。
【００６４】
本願発明は開口部を覆うフィルタを浴室の開口部に設けた浴室に適用することができる。
【図面の簡単な説明】
【００６５】
【図１】本願発明の浴室ドアの第１の実施例の要部を示す図で、同図（ａ）は正面図、同図（ｂ）はその断面図である。
【図２】本願発明の浴室ドアの第２の実施例の要部を示す図で、同図（ａ）は正面図、同図（ｂ）はその断面図である。
【図３】本願発明の浴室ドアの第３の実施例の要部を示す図で、同図（ａ）は正面図、同図（ｂ）はその断面図である。
【図４】本願発明の浴室ドアの第４の実施例の要部を示す図で、同図（ａ）は正面図、同図（ｂ）はその断面図、同図（ｃ）はそれに用いるガラリの正面図、同図（ｄ）はその断面図である。
【図５】従来例の浴室ドアの要部を示す図で、同図（ａ）は正面図、同図（ｂ）はその断面図である。
【符号の説明】
【００６６】
１，１１，１３，１４    ドア
２          開口（ガラリ）部
３，１５    ガラリ
４，１２    フィルタ
５          羽根
６          ガラリ枠
７          フィルタ固定レ−ル
８          表示部
【図１】
2005042388.tif 000004
【図２】
2005042388.tif 000005
【図３】
2005042388.tif 000006
【図４】
2005042388.tif 000007
【図５】
2005042388.tif 000008